【手続補正書】
【提出日】平成22年2月9日(2010.2.9)
【手続補正１】
【補正対象書類名】明細書
【補正対象項目名】特許請求の範囲
【補正方法】変更
【補正の内容】
【特許請求の範囲】
【請求項１】  利用者が任意の出力装置を利用する際の当該利用に対する課金を管理する課金管理装置であって、
上記利用者の上記出力装置の利用状況に基づいて、上記利用者の利用料金を算出する利用料金算出手段と、
上記利用料金算出手段で算出された利用料金を上記利用者から徴収する利用料金徴収手段と、
上記利用料金徴収手段により徴収された利用料金の一部若しくは全てを、上記出力装置を管理している組織側へ払い戻す利用料金払戻手段とを備えることを特徴とする課金管理装置。
【請求項２】  上記利用者が上記出力装置を利用する権利を有するものか否かを判定する利用者判定手段と、
上記利用者判定手段での判定の結果、上記利用者が権利を有していない場合は、上記利用者の上記出力装置の利用に対して制限を与える利用制限手段とをさらに備えることを特徴とする請求項１記載の課金管理装置。
【請求項３】  上記出力装置は、印刷装置であり、
上記利用料金算出手段は、上記印刷装置での印刷出力枚数に基づいて、上記利用料金を算出することを特徴とする請求項１記載の課金管理装置。
【請求項４】  上記出力装置が上記利用者の所属する組織内で管理されたものであるか否かを判定する組織内外判定手段をさらに備え、
上記利用料金算出手段は、上記組織内外判定手段での判定結果に基づいた利用料金算出方法により上記利用料金を算出し、
上記利用料金払戻手段は、上記組織内外判定手段での判定結果に基づいた利用料金算出方法により算出された利用料金の払い戻しを行うことを特徴とする請求項１記載の課金管理装置。
【請求項５】  上記利用料金算出手段は、上記利用者に対するディスカウント率を考慮して、上記利用料金を算出することを特徴とする請求項１記載の課金管理装置。
【請求項６】  上記利用料金算出手段は、上記ディスカウント率を上記利用者によって可変することを特徴とする請求項５記載の課金管理装置。
【請求項７】  上記利用者の認証情報、上記利用者の利用ログ情報、上記利用料金の徴収のために必要な情報、上記利用料金の払い戻しのために必要な情報、上記利用料金算出の際に用いる上記出力装置の機能に応じた料金テーブル、及び上記利用料金の算出の際に考慮するディスカウント率の情報の少なくとも何れかの情報を記憶する記憶手段を備えることを特徴とする請求項１記載の課金管理装置。
【請求項８】  上記出力装置を管理している組織側とネットワークを介して通信する通信手段をさらに備えることを特徴とする請求項１記載の課金管理装置。
【請求項９】  口座引落機能及び口座振込機能を有する金融機関側とネットワークを介して通信する通信手段をさらに備え、
上記利用料金徴収手段は、上記通信手段により上記金融機関側と通信することで、上記利用料金の徴収を行い、
上記利用料金払戻手段は、上記通信手段により上記金融機関側と通信することで、上記利用料金の払い戻しを行うことを特徴とする請求項１記載の課金管理装置。
【請求項１０】  少なくとも、任意の組織内で管理された出力装置と、当該出力装置を任意の利用者が利用する際の当該利用に対する課金を管理する管理装置とがネットワークを介して通信可能に接続されてなる課金管理システムであって、
上記管理装置は、請求項１〜９の何れか１項に記載の課金管理装置の機能を有することを特徴とする課金管理システム。
【請求項１１】  任意の組織内で管理された出力装置を任意の利用者が利用する際の当該利用に対する課金を管理する課金管理装置の課金管理方法であって、
利用料金算出手段が、上記利用者の上記出力装置の利用に基づき上記利用者の利用料金を算出する利用料金算出ステップと、
利用料金徴収手段が、上記利用料金算出ステップにより算出された利用料金を上記利用者から徴収する利用料金徴収ステップと、
利用料金払戻手段が、上記利用料金徴収ステップにより徴収された利用料金の一部若しくは全てを、上記出力装置を管理している組織側へ手数料として払い戻す利用料金払戻ステップとを含むことを特徴とする課金管理方法。
【請求項１２】  記憶制御手段が、上記利用者が上記出力装置を利用する際の利用状況情報、及び上記利用料金算出ステップにより算出された利用料金情報をメモリへ記憶する記憶ステップをさらに含み、
上記利用料金算出ステップは、上記メモリ内の利用状況情報に基づいて、上記利用料金の算出を行うステップを含み、
上記利用料金徴収ステップは、上記メモリ内の利用料金情報に基づいて、上記利用料金の徴収を行うステップを含むことを特徴とする請求項１１記載の課金管理方法。
【請求項１３】  利用者判定手段が、上記利用者が上記出力装置を利用可能な利用者であるか否かを判定する利用者判定ステップと、
上記利用者判定ステップでの判定の結果、上記利用者が権利を有していない場合は、利用制限手段が、上記利用者の上記出力装置の利用に対して制限を与える利用制限ステップとをさらに含むことを特徴とする請求項１１記載の課金管理方法。
【請求項１４】  組織内外判定手段が、上記出力装置が上記利用者の所属する組織内に設けられたものであるか否かを判定する組織内外判定ステップをさらに含み、
上記利用料金算出ステップは、上記組織内外判定ステップでの判定結果に基づいて、上記利用料金の利用料金算出方法を変更するステップを含み、
上記利用料金払戻ステップは、上記組織内外判定ステップでの判定結果に基づいて、上記利用料金の払い戻し方法を変更するステップを含むことを特徴とする請求項１１記載の課金管理方法。
【請求項１５】  上記利用料金算出ステップは、任意の条件に基づいたディスカウント率を考慮した利用料金算出方法により、上記利用料金を算出するステップを含むこと特徴とする請求項１４記載の課金管理方法。
【請求項１６】  上記利用料金算出ステップは、上記ディスカウント率を上記利用者によって可変することを特徴とする請求項１５記載の課金管理方法。
【請求項１７】  請求項１〜９の何れか１項に記載の課金管理装置、又は請求項１０記載の課金管理システムの各手段としてコンピュータを機能させるためのプログラムを記憶したことを特徴とするコンピュータ読み取り可能な記憶媒体。
【請求項１８】  請求項１１〜１６の何れか１項に記載の課金管理方法の各ステップをコンピュータに実行させるためのプログラムを記憶したことを特徴とするコンピュータ読み取り可能な記憶媒体。
【手続補正２】
【補正対象書類名】明細書
【補正対象項目名】０００８
【補正方法】変更
【補正の内容】
【０００８】
【課題を解決するための手段】
本発明の課金管理装置は、利用者が任意の出力装置を利用する際の当該利用に対する課金を管理する課金管理装置であって、上記利用者の上記出力装置の利用状況に基づいて、上記利用者の利用料金を算出する利用料金算出手段と、上記利用料金算出手段で算出された利用料金を上記利用者から徴収する利用料金徴収手段と、上記利用料金徴収手段により徴収された利用料金の一部若しくは全てを、上記出力装置を管理している組織側へ払い戻す利用料金払戻手段とを備えることを特徴とする。
【手続補正３】
【補正対象書類名】明細書
【補正対象項目名】０００９
【補正方法】変更
【補正の内容】
【０００９】
本発明の課金管理システムは、少なくとも、任意の組織内で管理された出力装置と、当該出力装置を任意の利用者が利用する際の当該利用に対する課金を管理する管理装置とがネットワークを介して通信可能に接続されてなる課金管理システムであって、上記管理装置は、上記課金管理装置の機能を有することを特徴とする。
【手続補正４】
【補正対象書類名】明細書
【補正対象項目名】００１０
【補正方法】変更
【補正の内容】
【００１０】
本発明の課金管理方法は、任意の組織内で管理された出力装置を任意の利用者が利用する際の当該利用に対する課金を管理する課金管理装置の課金管理方法であって、利用料金算出手段が、上記利用者の上記出力装置の利用に基づき上記利用者の利用料金を算出する利用料金算出ステップと、利用料金徴収手段が、上記利用料金算出ステップにより算出された利用料金を上記利用者から徴収する利用料金徴収ステップと、利用料金払戻手段が、上記利用料金徴収ステップにより徴収された利用料金の一部若しくは全てを、上記出力装置を管理している組織側へ手数料として払い戻す利用料金払戻ステップとを含むことを特徴とする。
【手続補正５】
【補正対象書類名】明細書
【補正対象項目名】００１１
【補正方法】変更
【補正の内容】
【００１１】
本発明の記憶媒体は、上記課金管理装置、又は課金管理システムの各手段としてコンピュータを機能させるためのプログラムを記憶したことを特徴とする。
また、本発明の記憶媒体の他の特徴とするところは、上記課金管理方法の各ステップをコンピュータに実行させるためのプログラムを記憶したことを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】